(57)【特許請求の範囲】
【請求項１】
可撓性シース内に軸線方向に進退自在に操作ワイヤを挿通配置して、一本の弾性ワイヤを曲げて形成したスネアループを上記操作ワイヤの先端に連結し、上記操作ワイヤを軸線方向に進退操作することにより上記スネアループが上記可撓性シースの先端内に出入りして、上記スネアループが上記可撓性シース外では自己の弾性によって膨らみ、上記可撓性シース内に引き込まれることによって窄まるようにした内視鏡用スネアにおいて、
上記可撓性シースの基端に連結された基端口金に、上記可撓性シースに真っ直ぐに通じる貫通孔が形成された基端挿入部材をねじ込んで取り付け、そのねじ込み量を加減することにより、上記基端口金側と上記基端挿入部材側との間に挟み付けられた状態に配置されたシール用Ｏリングの潰し量を調整することができるように構成すると共に、
上記基端挿入部材に形成された貫通孔の長さを、窄まった状態における上記スネアループの長さより長く形成し、上記スネアループの先端部分を、外面の径が上記基端挿入部材の貫通孔の孔径より小さく、且つ内面の径が上記弾性ワイヤの径以上の大きさのカーブで曲げ戻したことを特徴とする内視鏡用スネア。
【請求項２】
上記スネアループの先端部分が、先の丸まったＶ字状に曲げ戻されている請求項１記載の内視鏡用スネア。
【請求項３】
上記スネアループの先端部分が、略Ｕ字状に曲げ戻されている請求項１記載の内視鏡用スネア。
【発明の詳細な説明】
【０００１】
【発明の属する技術分野】
この発明は、内視鏡の処置具挿通チャンネルに通されてポリープを切除するために用いられる内視鏡用スネアに関する。
【０００２】
【従来の技術】
内視鏡用スネアは一般に、可撓性シース内に軸線方向に進退自在に操作ワイヤを挿通配置して、その操作ワイヤの先端に弾性ワイヤからなるスネアループを連結し、操作ワイヤを軸線方向に進退操作することによりスネアループが可撓性シースの先端内に出入りして、スネアループが可撓性シース外では自己の弾性によって膨らみ、可撓性シース内に引き込まれることによって窄まるようになっている。
【０００３】
図５は、そのような従来の内視鏡用スネアを示しており、使用後の洗浄消毒時等には、操作ワイヤ９１とスネアループ９２とが一体に連結されたユニットを可撓性シース９３から抜去することができるようになっている。スネアループ９２の先端部分９２ａでは、弾性ワイヤが小さなＵ字状に曲げ戻されている。
【０００４】
内視鏡用スネアを洗浄消毒後に再び使用する際には、スネアループ９２を、可撓性シース９３の基端に配置された基端挿入部材９４，９５に先端から差し込み、そのまま可撓性シース９３内に押し込んで組み立てるようになっている。
【０００５】
【発明が解決しようとする課題】
図６は、基端挿入部材９４，９５内にスネアループ９２を挿入している状態を示しており、スネアループ９２を窄めて基端挿入部材９４，９５内に押し込んで行くのであるが、スネアループ９２の先端曲げ戻し部９２ａが基端挿入部材９４，９５の孔の内面で擦られ、スネアループ９２を形成している弾性ワイヤの素線がほつれて損傷してしまう場合が少なくなかった。
【０００６】
そこで本発明は、洗浄消毒後の再組み立て時等に、スネアループをシースの基端に配置された基端挿入部材に円滑に差し込んで、容易に組み立てを行うことができる内視鏡用スネアを提供することを目的とする。
【０００７】
【課題を解決するための手段】
上記の目的を達成するため、本発明の内視鏡用スネアは、シース内に軸線方向に進退自在に操作ワイヤを挿通配置して、一本の弾性ワイヤを曲げて形成したスネアループを操作ワイヤの先端に連結し、操作ワイヤを軸線方向に進退操作することによりスネアループが可撓性シースの先端内に出入りして、スネアループが可撓性シース外では自己の弾性によって膨らみ、可撓性シース内に引き込まれることによって窄まるようにした内視鏡用スネアであって、シースの基端に連結された基端挿入部材の孔にスネアループを先端から挿入して組み立てるようにしたものにおいて、スネアループの先端部分を、外面の径が基端挿入部材の孔径より小さく、且つ内面の径が弾性ワイヤの径以上の大きさのカーブで曲げ戻したものである。
【０００８】
なお、スネアループの先端部分は、先の丸まったＶ字状に曲げ戻してもよく、要は略Ｕ字状に曲げ戻されていればよい。
【０００９】
【発明の実施の形態】
図面を参照して本発明の実施の形態を説明する。
図２は、本発明の実施の形態の内視鏡用スネアを示しており、１は、例えば電気絶縁性の四フッ化エチレン樹脂製チューブ等からなる可撓性シースであり、図示されていない内視鏡の処置具挿通チャンネルに挿脱される。
【００１０】
可撓性シース１内には、可撓性のある導電性金属製の操作ワイヤ２が全長にわたって軸線方向に進退自在に挿通されており、図示されていない操作部によって基端側（図２において右方）から任意に進退操作される。
【００１１】
操作ワイヤ２の先端部分には、導電性の弾性ワイヤからなるスネアループ３が接続パイプ４を介して連結されている。ただし、スネアループ３を延長して操作ワイヤ２を形成してもよい。
【００１２】
スネアループ３を形成する弾性ワイヤは、ステンレス鋼線の撚り線（例えば直径０．０６ｍｍの素線を１９本撚った１×１９撚りの直径０．３ｍｍのワイヤ）によって形成されており、外力が加えられていない状態では、図２に示されるように数センチメートルの広がりのループを形成しており、外力を加えることによって弾性変形させて窄ませることができる。
【００１３】
したがって、操作ワイヤ２を基端側から進退操作すると、スネアループ３が可撓性シース１の先端内に出入りして、スネアループ３が、可撓性シース１外では図２に示されるように自己の弾性によってループ状に膨らみ、可撓性シース１内に引き込まれることによって窄まる。
【００１４】
可撓性シース１の基端には基端口金１０が連結されている。また、操作ワイヤ２の基端側の部分は、可撓性シース１内から基端口金１０内を通って、そこから手元側に延び出しているステンレスロッド２０に連結されている。基端口金１０の側部には、可撓性シース１内に連通する注射筒受け口金１１が突設されている。
【００１５】
図３は、内視鏡用スネアを使用した後の洗浄消毒の際等に、操作ワイヤ２が抜き去られた状態の基端口金１０付近を示しており、可撓性シース１の基端は、基端口金１０に螺合する押さえネジ１２によって基端口金１０の先端部分に押圧固定されている。１３は、折れ止めチューブである。
【００１６】
基端口金１０の他端側には、可撓性シース１の軸線の延長線上に、基端挿入筒１４が突設されている。基端挿入筒１４は、一体に固着連結された基端挿入ネジ筒１５が基端口金１０にねじ込まれることにより基端口金１０に取り付けられており、基端挿入ネジ筒１５のねじ込み量を加減することにより、シール用Ｏリング１６の潰し量を調整することができるようになっている。
【００１７】
したがって、基端挿入筒１４と基端挿入ネジ筒１５とは本来一部品として形成されてよいものであり、基端挿入筒１４と基端挿入ネジ筒１５とが本発明の基端挿入部材に該当する。ただし、Ｏリング１６がなければ、基端口金１０自体を基端挿入部材にしてもよい。
【００１８】
これら、基端口金１０、基端挿入ネジ筒１５及び基端挿入筒１４には、可撓性シース１の内径とほぼ同寸法の貫通孔が可撓性シース１に真っ直ぐに連通する位置に形成されていて、それらの内部を操作ワイヤ２が通過する。
【００１９】
図４は、スネアループ３の部分を拡大して示しており、先端部分３ａは略Ｕ字状に曲げ戻されていて、後方へ徐々に広がっているので、先の丸まったＶ字状に曲げ戻されているということができる。ただしＵ字状等であっても差し支えない。
【００２０】
スネアループ３の先端部分３ａは、外面３ａｏの径が基端挿入部材１４，１５の孔径より小さく、且つ内面３ａｉの径がスネアループ３を形成する弾性ワイヤの径以上の大きさのカーブで曲げ戻されている。
【００２１】
そのようにスネアループ３の先端部分３ａの外面３ａｏの径が基端挿入部材１４，１５の孔径より小さく形成されていることにより、図１に示されるように、洗浄消毒終了後等の組み立てを行うためにスネアループ３をその先端側から基端挿入部材１４，１５の孔に差し込む際には、スネアループ３が窄められることによって先端部分３ａが基端挿入部材１４，１５の孔壁面に引っ掛かることなく、スムーズに挿入される。
【００２２】
また、スネアループ３の先端部分３ａの内面３ａｉの径がスネアループ３を形成する弾性ワイヤの径以上の大きさに形成されていることから、先端部分３ａにおいてスネアループ３が急激に曲げられず、素線切れ等の耐久上の問題が発生しない。
【００２３】
【発明の効果】
本発明によれば、スネアループの先端部分を、外面の径が基端挿入部材の孔径より小さく、且つ内面の径が弾性ワイヤの径以上の大きさのカーブで曲げ戻したことにより、洗浄消毒後の再組み立て時等に、素線切れ等の耐久上の問題を起こすことなくスネアループをシースの基端に配置された基端挿入部材に円滑に差し込んで、容易に組み立てを行うことができる。
【図面の簡単な説明】
【図１】本発明の実施の形態の内視鏡用スネアの組み立て時の部分拡大側面断面図である。
【図２】本発明の実施の形態の内視鏡用スネアの側面図である。
【図３】本発明の実施の形態の内視鏡用スネアのシースの基端側部分の側面断面図である。
【図４】本発明の実施の形態の内視鏡用スネアの先端部分の拡大側面図である。
【図５】従来の内視鏡用スネアの側面図である。
【図６】従来の内視鏡用スネアの組み立て時の部分拡大側面断面図である。
【符号の説明】
１  可撓性シース
２  操作ワイヤ
３  スネアループ
３ａ  先端部分
１０  基端口金
１４  基端挿入筒（基端挿入部材）
１５  基端挿入ネジ筒（基端挿入部材）
【図１】
0004495276.tif 000002
【図２】
0004495276.tif 000003
【図３】
0004495276.tif 000004
【図４】
0004495276.tif 000005
【図５】
0004495276.tif 000006
【図６】
0004495276.tif 000007